(57)【要約】【課題】電子機器において、画面の明るさを制御して消費電力を低減する電子機器及びその制御方法を提供する。【解決手段】実施形態の電子機器は、表示部と、照明手段と、制御手段と、抽出手段と、算出手段と、を具備する。表示部は、映像を表示する。照明手段は、前記表示部を照明する。制御手段は、前記照明手段に第一の制御量及び第二の制御量のそれぞれの組み合わせにより補正された駆動信号を供給する。抽出手段は、前記第一の制御量を前記表示部が表示する前記映像に対応する画像信号から抽出する。算出手段は、前記第二の制御量を前記表示部が表示する前記映像に対応する画像信号から算出する。【選択図】図１
2015038529.tif 000002
【特許請求の範囲】
【請求項１】
映像を表示する表示部と、
前記表示部を照明する照明手段と、
前記照明手段に第一の制御量及び第二の制御量のそれぞれの組み合わせにより補正された駆動信号を供給する制御手段と、
前記第一の制御量を前記表示部が表示する前記映像に対応する画像信号から抽出する抽出手段と、
前記第二の制御量を前記表示部が表示する前記映像に対応する画像信号から算出する算出手段と、
を具備する電子機器。
【請求項２】
前記抽出手段は、前記画像信号の動き量を抽出する請求項１記載の電子機器。
【請求項３】
前記抽出手段は、前記画像信号の動き量を抽出し、抽出した動き量の大きさに応じ、複数の指示値を設定する請求項２記載の電子機器。
【請求項４】
前記算出手段は、前記画像信号の明るさの平均値を算出する請求項１または２記載の電子機器。
【請求項５】
前記算出手段は、前記画像信号の明るさの平均値を算出し、算出した平均値の大きさに応じ、複数の指示値を設定する請求項４記載の電子機器。
【請求項６】
前記制御手段は、前記抽出手段が設定した前記複数の指示値、前記算出手段が設定した前記複数の指示値、及び画像の明るさの程度を示す第三の制御量（明るさのヒストグラム分布）を用いて、複数の指示値を設定する請求項３または５記載の電子機器。
【請求項７】
第一の制御量を、表示部が表示する映像に対応する画像信号から抽出し、
第二の制御量を、表示部が表示する映像に対応する画像信号から算出し、
第一の制御量及び第二の制御量のそれぞれの組み合わせにより補正された駆動信号を照明装置に供給する
電子機器の制御方法。
【請求項８】
第一の制御量は、画像信号の動き量を抽出した動き量の大きさに応じた複数の指示値を含む請求項７の電子機器の制御方法。
【請求項９】
第二の制御量は、画像信号の明るさの平均値を算出した平均値の大きさに応じた複数の指示値を含む請求項７の電子機器の制御方法。
【請求項１０】
第一の制御量の複数の指示値、第二の制御量の複数の指示値、及び画像の明るさの程度を示す第三の制御量（明るさのヒストグラム分布）に基づく複数の指示値を組み合わせる請求項９記載の電子機器の制御方法。
【請求項１１】
画像信号から第一の制御量を抽出する抽出手段と、
画像信号から第二の制御量を算出する算出手段と、
前記抽出手段が抽出した前記第一の制御量及び前記算出手段が算出した前記第二の制御量のそれぞれの組み合わせにより補正された駆動信号を出力する出力手段と、
を具備する電子機器。
【発明の詳細な説明】
【技術分野】
【０００１】
この発明は、動画や静止画等のコンテンツを再生し、表示する電子機器及びその制御方法に関する。
【背景技術】
【０００２】
動画や静止画等のコンテンツ（番組あるいはタイトルと称する場合もある）を再生し、表示する電子機器において、消費電力を低減するため、画面（表示）の明るさを制御することが広く行われている。
【先行技術文献】
【特許文献】
【０００３】
【特許文献１】特開２０１１−２０５３０３号公報
【発明の概要】
【発明が解決しようとする課題】
【０００４】
画面の明るさを制御することにより消費電力を低減する電子機器及びその制御方法としては、様々な提案があり、実現されているものの少なくないが、一層消費電力を低減する要求がある。
【０００５】
この発明の目的は、動画や静止画等のコンテンツを再生する電子機器において、画面の明るさを制御して消費電力を低減する電子機器及びその制御方法を提供することである。
【課題を解決するための手段】
【０００６】
実施形態によれば、電子機器は、表示部と、照明手段と、制御手段と、抽出手段と、算出手段と、を具備する。表示部は、映像を表示する。照明手段は、前記表示部を照明する。制御手段は、前記照明手段に第一の制御量及び第二の制御量のそれぞれの組み合わせにより補正された駆動信号を供給する。抽出手段は、前記第一の制御量を前記表示部が表示する前記映像に対応する画像信号から抽出する。算出手段は、前記第二の制御量を前記表示部が表示する前記映像に対応する画像信号から算出する。
【図面の簡単な説明】
【０００７】
【図１】実施形態を適用する再生装置（電子機器）の一例を示す。
【図２】実施形態を適用する再生装置における画面の明るさの制御の一例を示す。
【図３】実施形態を適用する再生装置における画面の明るさの制御の一例を示す。
【図４】実施形態を適用する再生装置における画面の明るさの制御の一例を示す。
【図５】実施形態を適用する再生装置における画面の明るさの制御の一例を示す。
【図６】実施形態を適用する再生装置における画面の明るさの制御の一例を示す。
【図７】実施形態を適用する再生装置における画面の明るさを制御する構成の一例を示す。
【図８】実施形態を適用する再生装置において、部分的に画面の明るさを制御する一例を示す。
【図９】実施形態を適用する再生装置において、部分的に画面の明るさを制御する一例を示す。
【発明を実施するための形態】
【０００８】
以下、図面を参照して、本発明の実施の一形態について説明する。
【０００９】
図１は、本発明を適用した電子機器（テレビジョン放送受信装置、以下、テレビ受信装置と略称する）の構成を概略的に示す。なお、実施形態においては、本発明の電子機器としてテレビ受信装置を例に説明するが、これに限定されることはない。すなわち、放送受信装置、放送受信機能付き携帯電話、放送受信機能付きパーソナルコンピュータ、及び放送受信装置が搭載された映像記録装置等、放送受信装置を備えた機器であれば何でも良い。また、放送は空中を伝播してくる電波を受信するものに限らず、ケーブルやＩＰ（インターネット・プロトコル）網等のネットワークを介して放送局から配信される番組を受信可能な放送でも良い。なお、番組は、コンテンツ（ストリーム）とも称され、映像及び音声もしくは音楽等を含む。また、映像は、動画と静止画、あるいはテキストを主体とした文字放送やデータ放送の表示等を含む。
【００１０】
テレビ受信装置１１１は、映像信号（ビデオデータ）に対応する映像を表示する映像表示器１１３、例えばスピーカ等に代表される音声再生装置であって、音声出力（オーディオデータ）を再生する音声再生器１１５、ユーザからの制御指示（制御入力）信号を受け入れる操作部１１７、ユーザからのリモコン装置Ｒによる操作情報（制御入力）信号を受けつけるリモコン受信部１１９、および制御ブロック（制御部）１６０等を含む。なお、映像表示器（ディスプレイ装置）１１３は、例えば液晶パネル装置であって、付属する照明装置１２５からの照明光（バックライト）を選択的に透過することにより、映像を表示する。また、照明装置１２５は、制御回路１２７により、周囲の明るさや、連続して点灯されている時間と非点灯時間との差すなわち照明装置１２５の温度、及び後段に説明する画像の特性に基づく明るさの制御、等に基づいて規定される所定の駆動電圧で点灯される。
【００１１】
制御部１６０は、ＣＰＵまたはＭＰＵ（Main Processing Unit）とよばれる主制御装置（主制御用大規模ＩＣ（ＬＳＩ））１６１を、含む。
【００１２】
制御部１６０（主制御装置１６１）は、操作部１１７からの操作入力、またはリモコン装置Ｒから送出された操作情報を受信部１１９により受信した（リモコン入力）制御信号、もしくはネットワーク接続部（通信インタフェース）１７３を介して外部から供給される情報およびデータに対応して、以下に説明する各部（要素）を、制御する。
【００１３】
制御部１６０はまた、主制御装置１６１が実行する制御プログラムを保持したＲＯＭ（Read Only Memory）１６２、主制御装置１６１の作業エリアを提供するＲＡＭ（Random Access Memory）１６３、各種の設定情報や制御情報ならびに上述のＨＤＭＩ接続において変更された入力切換連携仕様、あるいはネットワーク接続部１７３を介して外部から供給される情報および録画予約情報などのデータ等を保持する不揮発性メモリ（Non Volatility Memory，ＮＶＭ）１６４、およびＨＤＤ１６５を、含む。
【００１４】
なお、ＮＶＭ１６４は、ネットワーク接続部１７３を経由して取り込まれ、制御部１６０を経由してメッセージや解読されたスケジュール情報等も保持する。
【００１５】
制御部１６０には、半導体メモリであるカード状媒体（メモリカード）Ｍからの情報の読み出しとメモリカードＭへの情報の書き込みを可能とするカード＿ＩＦ１７１、ネットワーク接続部（通信＿ＩＦ）１７３、ＨＤＭＩ処理部１７４と接続するポート１８２、光ディスクＤからの情報すなわち動画データやオーディオ（音声）データの読み出しと光ディスクへの情報の書き込みに用いられるディスクドライブ装置１７５、ＵＳＢ＿Ｉ／Ｆ（インタフェース）、およびｉ．Ｌｉｎｋ＿Ｉ／Ｆ（インタフェース）１７７等の任意数のＩ／Ｆ（インタフェース）群が接続され、それぞれのインタフェースに適合する外部装置、あるいはハブ（拡張装置）もしくはネットワーク制御装置として機能する。
【００１６】
カード＿Ｉ／Ｆ１７１は、カードホルダ１７２に装着されるメモリカードＭから、映像および音声ファイルを読み込むことができ、また、メモリカードＭに、映像および音声ファイルを書き込むことができる。
【００１７】
通信＿Ｉ／Ｆ１７３は、ＬＡＮ端子（ポート）１８１と接続され、イーサネット（登録商標）規格に従い、外部装置、例えば図示しないが携帯端末装置やモバイルＰＣを介して、あるいはリモコン装置から供給される制御情報や動画データを受け入れる。なお、通信＿Ｉ／Ｆ１７３は、ＬＡＮ対応のハブ（Hub）が接続されることで、ＬＡＮ対応のＨＤＤ（ＮＡＳ（Network Attached Storage）ＨＤＤ）、ＰＣ、ＨＤＤ内蔵のＤＶＤレコーダ等の機器の接続が可能である。
【００１８】
ＨＤＭＩ処理部１７４には、ＨＤＭＩ端子１８２を介して、例えばレコーダ（記録再生装置）や、図示しないＡＶアンプ、もしくはハブが接続される。なお、ＡＶアンプには、図示しないが、例えばＤＶＤレコーダやＤＶＤプレーヤ等が接続される。また、ハブには、例えばＨＤＭＩ端子を備えたＡＶアンプや、ＰＣ、ＨＤＤ内蔵のＤＶＤレコーダ、ＤＶＤプレーヤ等の外部機器が接続可能である。なお、ＨＤＭＩ端子１８２がハブと接続される場合には、例えばブロードバンドルータを介して、例えばインターネット等のネットワークとの接続や、ネットワーク上に位置するＰＣや図示しない携帯電話または携帯端末装置、もしくは携帯端末との間の動画ファイル（映像データ）やオーディオファイル（音声データ）の読み込みおよび再生ならびに書き込み（記録）等も可能である。
【００１９】
ディスクドライブ装置１７５は、例えばＤＶＤ規格の光ディスクＭから情報すなわち動画データやオーディオ（音声）データを読み出し、もしくは記録する。また、セットされた光ディスクがＣＤ規格である場合には、オーディオ（音声）データを読み出し、再生するとともに、例えば曲名や演奏時間等を、映像表示器１１３に表示可能に出力する。
【００２０】
ＵＳＢ＿Ｉ／Ｆ１７６は、ＵＳＢポート１８４に接続される図示しないハブを介して、ＵＳＢ＿Ｉ／Ｆを介してアクセス可能に形成されたＨＤＤ、キーボード等が接続可能であり、それぞれのＵＳＢ機器との間で情報の受け渡しが可能である。なお、ＵＳＢ＿Ｉ／Ｆ１７６に対応する携帯電話、デジタルカメラ、メモリカードに対するカードリーダ／ライタも接続可能であることはいうまでもない。
【００２１】
ｉ．Ｌｉｎｋ＿Ｉ／Ｆ１７７は、図示しないが、例えばＡＶ（オーディオ−ビジュアル）−ＨＤＤあるいはＤ（Digital）−ＶＨＳ（Video Home System）等の外部機器、もしくは、外付けのチューナあるいはＳＴＰ（Set Top Box（ケーブルテレビ用受信機））等がシリアル接続可能であり、接続される任意の機器との間で、情報の受け渡しが可能である。
【００２２】
なお、詳述しないが、個々のインタフェースに加えて、もしくは任意の１または複数のインタフェースに代えて、例えばＤＬＮＡ（登録商標））規格等に準拠したネットワークコントローラや、図示しないBluetooth（登録商標）／（ブルートゥース（登録商標））が用意され、それらを経由して、データの受け渡しが可能なレコーダ装置やＨＤＤ装置、もしくは携帯可能な端末装置が接続されてもよいことはいうまでもない。
【００２３】
制御部１６０は、タイマーコントローラ（時計部）１９０を含む。時計部１９０は、時刻や、ユーザからの入力により設定される予約録画のための予約時刻（日時）と録画対象チャンネル等の情報を管理するとともに、その情報を保持可能である。なお、時計部１９０は、地上波デジタルチューナ１５０を介して受信するデジタル放送におけるＴＯＴ（Time Offset Table）と呼ばれる「時刻情報」を、常時取得できる。すなわち、電波時計を内蔵している機器と同等の時刻管理が可能である。また、地上波アナログチューナ１５２により受信するアナログアナログ放送の所定のチャンネルからも、毎日、所定の時間に時報を取得可能であることはいうまでもない。また、時計部１９０は、携帯端末装置から供給されるスケジューラ機能やメッセンジャ機能のための情報に対する計時部としても機能する。なお、時計部１９０は、スケジューラ機能およびメッセンジャ機能により規定される所定の時刻において、電源部１９１による、商用電源に対する電源のオン／オフ（通電）を制御できることはいうまでもない。すなわち、コンセントが抜かれている等の物理的に通電が困難な状況下以外においては、映像表示器１１３や信号処理部１４７あるいはＨＤＤ等の電力消費の比較的大きな要素を除く、制御部１６０等への２次電源（ＤＣ（直流）３１Ｖ、あるいは２４Ｖもしくは５Ｖ等）は、通常確保されており、予め規定された時刻に映像表示器１１３や信号処理部１４７あるいはＨＤＤ１６５等が起動されることは、いうまでもない。
【００２４】
信号処理部１４７は、入力画像データに、所定の画像処理を実行したのち、ＲＧＢ信号に変換し、映像表示器１１３（前段のグラフィック処理部１５４）に出力する。
【００２５】
また、信号処理部１４７は、図３及び図４により後段に説明するステップ量の設定に用いる「動き量」を検出する動き量検出部１４７ａ、及び「ＡＰＬ（Average, Power Level）」を検出するＡＰＬ検出部１４７ｂを含む。なお、動き量検出部１４７ａ、ＡＰＬ検出部１４７ｂと独立に設けられてもよいし、例えば主制御部１６０のファームウエアとして用意されてもよい。
【００２６】
図２は、図１に示したテレビ受信装置における制御回路に所定の駆動電圧を供給するためのＰＷＭ（Pulse Width Modulation）の制御量を設定する方法をソフトウエア的に示す。
【００２７】
初めに、特定信号、例えばユーザ設定等に基づく固定値が設定されているか、を検出する［１０１］。
【００２８】
固定値（特定信号）ではない場合［１０１−ＮＯ］、入力信号が動画であるか、を検出する［１０２］。
【００２９】
入力信号が動画であることが検出できた場合［１０２−ＹＥＳ］、前回の判定結果が静止画であるか（前回の判定結果も動画であるか）がチェックされる［１０３］。
【００３０】
前回の判定結果が静止画であった場合［１０３−ＹＥＳ］、タイマー（Hold timer）に「０」が入力され［１０４］、タイマー（Hold timer）と所定時間（Hold time）とが比較される。なお、前回の判定結果が動画であった場合［１０３−ＮＯ］も、タイマー（Hold timer）のタイマー値が維持され、所定時間（Hold time）と比較される［１０５］。
【００３１】
タイマー（Hold timer）値と所定時間（Hold time）とが、「Hold timer ≧ Hold time 」であるとき［１０５−ＹＥＳ］、続いて、タイマー（Step timer）と所定時間（Step time）とが比較される［１０６］。
【００３２】
タイマー（Step timer）値と所定時間（Step time）とが、「Step timer ≧ Step time」であるとき［１０６−ＹＥＳ］、図３及び図４により説明する「動き量」と「ＡＰＬ（Average Power Level，平均値）」とバックライト（B/L）値と前回のバックライト（B/L）値からステップ量を引き算した値に基づいて、制御回路１２７に供給するＰＷＭ（Pulse Width Modulation）の制御量を設定するための１つの制御量であるステップ（Step）量が設定される［１０７］。
【００３３】
設定されたステップ量は、バックライト（B/L）値として、バックライト下限値と比較され［１０８］、「バックライト（B/L）値＞バックライト（B/L）下限値」である場合［１０８−ＹＥＳ］、バックライト（B/L）値はバックライト（B/L）下限値に一致される［１０９］。
【００３４】
このようにして、制御回路１２７に供給するＰＷＭの制御量が設定される。すなわち、制御回路１２７に供給するＰＷＭの前回の制御量に、求められたバックライト（B/L）値が加算される［１１０］。
【００３５】
一方、入力信号が非動画（静止画）であることが検出できた場合［１０２−ＮＯ］、ステップ量は、「バックライト（B/L）値＝前回のバックライト（B/L）値＋ステップ（Step）量」により設定される［１１１］。
【００３６】
続いて、設定されたステップ（Step）量とバックライト（B/L）値とが、「B/L 値 ≧ User 設定値」であるかがチェックされ［１１２］、「B/L 値 ≧ User 設定値」である場合［１１２−ＹＥＳ］、「B/L 値」として「User 設定値」がセットされ［１１３］、ＰＷＭの制御量に加算される［１１０］。なお、「B/L 値」が「User 設定値」より小さい場合［１１３−ＮＯ］、そのまま「B/L offset 値」がＰＷＭの制御量に加算される［１１０］。すなわち、「User 設定値」がセットされている場合は、通常、ユーザは（自身の設定した明るさからの）変更（明るさの増大）を希望しないことが予想できるため、「B/L 値」が「User 設定値」よりも大きな値であっても、［１１３］により、（明るさの）上限を「User 設定値」とすることが有益である。
【００３７】
また、上述した一連の検出／設定は、例えば１００ミリ秒〜１秒程度の間の所定の時間毎に繰り返される。これにより、例えば動画において、明るさの変化の度合いが大きい場合、バックライトの明るさが僅かずつ、低減される。
【００３８】
図３に、図２に示したステップ量（動画向け）を設定するために用いる「動き量」を説明する。
【００３９】
初めに、タイマー（Timer）値が所定値「Ｎ」より大ききかが検出される［１２１］。
【００４０】
タイマー（Timer）値が所定値「Ｎ」より大きい（［Timer ≧ Ｎ］）場合［１２１−ＹＥＳ］、タイマー（Timer）値として「０（Timer ＝ ０）」がセットされる［１２２］。
【００４１】
次に、動き量検出機能（動き量検出部）により、動き量を、例えば０（Still），１（Low），２（Middle），３（High, over Middle）の４段階に区分けする［１２３］。
【００４２】
以下、「動き量」が、Ｘ回（所定回数）、連続して同じ判定（結果）であることがチェックされ［１２４］、Ｘ回連続して同じ判定である場合、バックライトオフセット（B/L offset）値として、制御回路１２７によるバックライト制御（Backlight control）に適用する［１２５］。
【００４３】
なお、動き量は、例えば    
「if  動き量  ＜  ＴＨ１（第一のスレショルドレベル）、すなわち０（Still）、    
else  if  動き量  ＜  ＴＨ２（第二のスレショルドレベル）」、１（Low）、    
else  if  動き量  ＜  ＴＨ３（第三のスレショルドレベル）」、２（Middle）、    
及び、３（High, over Middle）」    
により判別される４段階とする。また、上述した一連の検出／判定は、例えば１００ミリ秒〜１秒程度の間の所定の時間毎であって、図２により説明したステップ量の検出間隔と同じか、僅かに短い間隔で、繰り返される。
【００４４】
図４に、図２に示したステップ量（動画向け）を設定するために用いる「ＡＰＬ」を説明する。
【００４５】
初めに、タイマー（Timer）値が所定値「Ｎ」より大ききかが検出される［１３１］。
【００４６】
タイマー（Timer）値が所定値「Ｎ」より大きい（［Timer ≧ Ｎ］）場合［１３１−ＹＥＳ］、タイマー（Timer）値として「０（Timer ＝ ０）」がセットされる［１３２］。
【００４７】
次に、ＡＰＬ算出機能（ＡＰＬ算出部）によりＡＰＬを、例えば０（Darker），１（Middle），２（Brighter）の３段階に区分けする［１３３］。
【００４８】
以下、求められた「ＡＰＬ」が、Ｙ回（所定回数）、連続して同じ判定（結果）であることがチェックされ［１３４］、Ｙ回（回数Ｙは、図３に示した回数Ｘと同一（Ｙ＝Ｘ）であってもよい）連続して同じ判定である場合、バックライトオフセット（B/L offset）値として、制御回路１２７によるバックライト制御（Backlight control）に適用する［３５］。
【００４９】
なお、ＡＰＬは、例えば    
「if  ＡＰＬ  ＜  ＴＨ１（第一のスレショルドレベル）、すなわち０（Darker）、    
else  if  ＡＰＬ  ＜  ＴＨ２（第二のスレショルドレベル）」、１（Middle）、    
else  、すなわち２（Brighter）、    
により判別される３段階とする。
【００５０】
このようにして求めた「動き量」と「ＡＰＬ」とを用いることにより、特に動画のような明るさの変動が大きな画像について、図５に一例を示すように、時間（ｔ）に対し、明るさ（Ｂｌ）を、例えば「４（動き量）×３（ＡＰＬ）＝１２」で求められる複数の段階で、上述の１００ミリ秒〜１秒程度の範囲内で細かく変更でき、時刻Ａで示すように、連続した明るさ（Ｂｌ）の減少を一時的に抑えることや、時刻Ｂで示すように、暗い場面において画面が暗くなりすぎることを抑止するために一時的に明るさを増加することができる。なお、明るさを細かく変更することで、現行の制御による消費電力に比較して、消費電力を、一層低減できる。
【００５１】
また、図５に示した制御により、明るさのヒストグラム（図６（ｃ）、現行）に従い画面の明るさを変更する方法（図６（ｄ）、同）に比較して、図６（ａ）に示すような明るさの暗い場面（ヒストグラムが暗い場面の度数が高い場面）についても、図６（ｂ）に示すように、図６（ｄ）に示す現行の明るさの制御と同等の制御が適用可能となる。これにより、暗い場面の度数（ヒストグラム）が高い暗い場面の画像の明るさが暗くなりすぎて、画像が見えにくい状態が生じることを抑止できる。
【００５２】
なお、図７に示すように、制御回路１２７に、さらに映像表示器１１３の周辺光すなわちテレビ受信装置１０１が設置される環境（室内）の明るさを検出する周辺光センサ１１３ａが検出する周辺光の影響を反映することで、より消費電力を低減できる（室内が暗い場合、画面の明るさを暗くすることができる）。
【００５３】
一方、制御回路１２７は、図６（ａ）により説明した「明るさのヒストグラム分布」を用いる明るさの制御を併用することにより、暗い場面の度数（ヒストグラム）が高い暗い場面の画像の明るさが暗くなりすぎて、画像が見えにくい状態が生じることを、一層抑止できる。
【００５４】
なお、図８（ａ）、図８（ｂ）に一例を示すが、映像表示器１１３において、表示エリアが複数に分割した状態で駆動できる照明装置１２５を用いる場合、（照明装置１２５の）導光板３３１の垂直方向の厚み面に対向して水平光源３３２が、導光板３３１の水平方向の厚み面に対向して垂直光源３３３が、設けられ、それぞれ８つに分割した出射源Ｈ１−Ｈ８，Ｖ１−Ｖ８であるような場合に、それぞれの出射源の明るさを、上述した方法により部分的に、例えば画面中央に比較して、周辺部分の明るさを低減することで、一層消費電力を低減できる。より具体的には、Ｈ３−Ｈ６とＶ３−Ｖ６で定義される領域［ａ］に対してその周辺となるＨ２、Ｈ７、Ｖ２、Ｖ７で定義される領域［ｂ］の明るさを上述の１２段階のうち、２段階程度低減し、Ｈ１、Ｈ８、Ｖ１、Ｖ８で定義される領域［ｃ］の明るさをさらに２段回程度低減することで、周辺部の明るさは、中央部に比較して認識されにくいことも関連して、映像表示器１１３の画面の大きさに比較して概ね１／３〜１／２程度の範囲の照明に要求される消費電力を低減できる。もちろん、図５により説明した通り、暗い場面においては、部分的に（上述の領域の少なくとも１つについて）、明るさを明るくする（高める）ことも可能であり、その場合の消費電力の増加は僅かである。
【００５５】
また、図９（ａ）、図９（ｂ）に示すように、表示器１１３のガラス基板３４１の裏側に発光素子（ＬＥＤ）を２次元的に配列した基板３４２を設け、（基板３４２が保持する）各発光素子を、任意の数の単位で上述した方法により部分的に、例えば画面中央に比較して、周辺部分の明るさを低減することで、一層消費電力を低減できる。
【００５６】
以上のように、例えば、「動き量」・「ＡＰＬ」とも低い場合、全体的な映像のイメージ（感触）は、落ち着いた暗いシーンと推測できるため、視聴者が違和感を感じることのないよう、画面の明るさ（バックライト）の変動を小さくでき、「動き量」・「ＡＰＬ」ともに高い場合を、動きが激しく明るいシーンと推測して、画面の明るさ（バックライト）の変動量を（落ち着いたシーンに比較して）大きくすることにより一層消費電力低減する事が可能となる。
【００５７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５８】
１１１…テレビ受信装置（電子機器）、１１３…映像表示器（表示手段）、１２５…照明装置（照明手段）、１２７…制御回路（制御手段）、１４７…信号処理部（ＤＳＰ）、１４７ａ…動き量検出部（動き検出手段）、１４７ｂ…ＡＰＬ算出部（平均値算出手段）、１６０…主制御部（制御手段）。
【図１】
2015038529.tif 000003
【図２】
2015038529.tif 000004
【図３】
2015038529.tif 000005
【図４】
2015038529.tif 000006
【図５】
2015038529.tif 000007
【図６】
2015038529.tif 000008
【図７】
2015038529.tif 000009
【図８】
2015038529.tif 000010
【図９】
2015038529.tif 000011